(57)【要約】【課題】コストを抑えてハウリング現象の生じない車載ハンズフリー装置を提供する。【解決手段】車載ハンズフリーは、乗員（ドライバ）αが携帯電話に触れることなく、電話相手と通話を行うためのものであり、乗員αの音声を拾うマイク１と、パラメトリックスピーカ２とを具備する。パラメトリックスピーカ２は、超音波スピーカ３、超音波変調回路４、増幅回路５を備え、「電話相手の音声信号を超音波変調した超音波」を乗員αに向けて照射する。そして、乗員α側で超音波が自己変調することで乗員αに「電話相手の音声（音波）」を与える。このため、マイク１において「電話相手の音声」を拾わなくすることができ、ハウリング現象の発生を防ぐことができる。このように、高価なエコーキャンセル回路を用いることなく、ハウリング現象を防ぐことができ、ハウリング現象の生じない車載ハンズフリー装置のコストを抑えることができる。【選択図】  図１
2014143615.tif 000002
【特許請求の範囲】
【請求項１】
車室内に設置されて乗員（α) の音声を拾うマイク（１）と、
前記車室内に設置されて前記乗員（α) に可聴音を付与する再生音発生手段（２）と、を具備する車載ハンズフリー装置において、
前記再生音発生手段（２）は、音声信号を超音波変調した超音波を前記乗員（α) に向けて照射し、前記乗員（α) 側で超音波から可聴音に自己変調させるパラメトリックスピーカ（２）であることを特徴とする車載ハンズフリー装置。
【請求項２】
請求項１に記載の車載ハンズフリー装置において、
前記パラメトリックスピーカ（２）は、
前記乗員（α) の頭部へ向けて超音波を発生させる超音波スピーカ（３）と、
前記乗員（α) に与える音声信号を超音波周波数に変調する超音波変調回路（４）と、
この超音波変調回路（４）で変調された変調信号によって前記超音波スピーカ（３）を駆動する増幅回路（５）と、
を備えることを特徴とする立体音響装置。
【発明の詳細な説明】
【技術分野】
【０００１】
本発明は、乗員（ドライバー等）の手元から離して用いられる車載ハンズフリー装置に関する。
【背景技術】
【０００２】
従来の一般的な車載ハンズフリー装置は、図２に示すように、乗員αの音声を拾うマイク（マイクロフォンの略）Ａと、乗員αに向けて音波を付与するダイナミックスピーカＢと、このダイナミックスピーカＣを駆動する増幅回路と備えて構成される。
【０００３】
従来の車載ハンズフリー装置では、乗員αがダイナミックスピーカＣから「電話相手の音声」を聞く際、ダイナミックスピーカＣの音が車室内全体に届く。このため、乗員αの音声を拾うためのマイクＡが、ダイナミックスピーカＣの発生した音を拾ってしまい、所謂ハウリング現象が生じてしまう。
【０００４】
そのため、従来の車載ハンズフリー装置では、ハウリング現象を防ぐためのエコーキャンセル回路を追加する必要がある。
しかしながら、エコーキャンセル回路は高価であるため、車載ハンズフリー装置が大幅なコストアップになってしまう。
【先行技術文献】
【特許文献】
【０００５】
【特許文献１】特開２０１２−１９５８０１号公報
【発明の概要】
【発明が解決しようとする課題】
【０００６】
本発明は、上記問題点に鑑みてなされたものであり、その目的は、コストを抑えてハウリング現象の生じない車載ハンズフリー装置を提供することにある。
【課題を解決するための手段】
【０００７】
本発明の車載ハンズフリー装置は、パラメトリックスピーカを用いて「電話相手の音声信号を超音波変調した超音波」を乗員に向けて照射し、乗員側で自己復調させて「電話相手の音声（可聴周波数の音波）」を乗員側で再生させる。
このようにして、マイクから離れた場所（乗員側）で「電話相手の音声」を再生させるため、マイクにおいて「電話相手の音声」を拾わなくすることができ、ハウリング現象の発生を防ぐことができる。即ち、エコーキャンセル回路を用いることなく、ハウリング現象を防ぐことができる。その結果、コスト上昇を抑えてハウリング現象の生じない車載ハンズフリー装置を提供することができる。
【図面の簡単な説明】
【０００８】
【図１】車載ハンズフリー装置の説明図である（実施例１）。
【図２】車載ハンズフリー装置の説明図である（従来例）。
【０００９】
以下、本発明の実施の形態を、図面に基づいて詳細に説明する。
【実施例】
【００１０】
以下の実施例は具体的な一例を示すものであって、本発明が実施例に限定されないことはいうまでもない。
【００１１】
［実施例１］
図１を参照して実施例１を説明する。
この実施例の車載ハンズフリーは、携帯電話（スマートフォン等を含む可搬型通信装置）を接続して使用するものであり、乗員αが携帯電話に触れることなく、電話相手と通話を行うためのものである。
【００１２】
具体的に車載ハンズフリーは、
（ｉ）車室内に設置されて乗員αの音声を拾うマイク１と、
（ｉｉ）乗員αに電話相手の音声を与えるパラメトリックスピーカ２と、
を具備する。
【００１３】
マイク１は、乗員αの音声が届く位置（例えば、図１に示すように乗員αの前方等）に設置されて、乗員αの音声（可聴周波数の音波）を、音声信号（オーディオ信号）に変換する変換器であり、マイク１で拾った音声信号が携帯電話を介して電話相手に送られる。
なお、マイク１の形式（ダイナミックマイク、コンデンサマイク等）は問うものではなく、乗員（人）αの音声周波数を拾うことのできるものである。マイク１の指向性も問うものではないが、乗員αの口元の音声を積極的に拾うものであることが望ましい。
【００１４】
パラメトリックスピーカ２は、車室内に設置されて、乗員αに向けて可聴音（電話相手の音声）を付与する再生音発生手段に相当するものであり、携帯電話を介して与えられる「電話相手の音声信号（オーディオ信号）」を超音波周波数（２０ｋＨｚ以上の周波数）に変調した超音波を乗員αの頭部に向けて与え、乗員α側（頭部付近や耳元付近など）で超音波から可聴周波数に自己変調させて「通話相手の音声（可聴周波数の音波）」を乗員α側で発生させるものである。
【００１５】
具体的に、パラメトリックスピーカ２は、
（ａ）乗員αの頭部へ向けて超音波を発生させる超音波スピーカ３と、
（ｂ）携帯電話から受けた電話相手の音声信号（乗員αに与える音声信号）を超音波周波数に変調する超音波変調回路４と、
（ｃ）この超音波変調回路４で変調された変調信号によって超音波スピーカ３を駆動する増幅回路５（例えば、Ｂ級アンプあるいはＤ級アンプ等）と、
を備えて構成される。
【００１６】
超音波スピーカ３は、パラメトリックスピーカ２において超音波を発生させる超音波発生器であり、電気信号（増幅回路５の駆動信号）を空気振動に変換して、人間の可聴帯域よりも高い周波数（２０ｋＨｚ以上）の空気振動を発生させる。
超音波スピーカ３（超音波発生器）の構造や形式等は限定するものではないが、具体的な一例を開示すると、超音波の発生が可能な複数の圧電素子をアレイ状に集合配置したものであり、乗員αの頭部（具体的には耳元付近）へ超音波の照射方向を向けて配置されるものである。
また、超音波スピーカ３の搭載位置は、限定するものではなく、図１に示すように、マイク１の近傍（乗員αの前方等）に設置しても良いし、ピラーや天井などに設置しても良い。
【００１７】
車載ハンズフリー装置におけるパラメトリックスピーカ２の作動を説明する。
携帯電話から車載ハンズフリー装置に「電話相手の音声信号」が与えられると、与えられた「電話相手の音声信号」を超音波変調回路４が超音波周波数に変調し、その超音波周波数の信号（電話相手の音声信号を超音波変調した変調信号）を増幅回路５が増幅して超音波スピーカ３を駆動する。すると、「音声信号を超音波変調した超音波」が、乗員αの頭部（耳元等）に向けて照射される。
【００１８】
超音波スピーカ３から乗員αの頭部へ向けて照射された「音声信号を超音波変調した超音波」は、空気中を伝播するにつれて、空気の粘性等によって波長の短い超音波が歪んで鈍（なま）される。すると、伝播途中の空気中において超音波に含まれていた振幅成分が自己復調され、乗員αに近い側で「電話相手の音声信号」が再生される。あるいは、復調前に乗員αの頭部に到達した超音波が乗員αの頭部（耳元付近等）において自己復調することで乗員αの耳において「電話相手の音声信号」が再生される。
【００１９】
（実施例の効果）
上述したように、車載ハンズフリー装置は、パラメトリックスピーカ２を用いて「電話相手の音声信号」を乗員αに与える。即ち、「電話相手の音声信号を超音波変調した超音波」を乗員αに向けて照射し、乗員α側で超音波が自己変調することで乗員α側で「電話相手の音声（可聴周波数の音波）」が再生される。
このように、マイク１から離れた場所（乗員αに近い側）で「電話相手の音声」が再生されるため、マイク１において「電話相手の音声」を拾わなくすることができ、ハウリング現象の発生を防ぐことができる。即ち、高価なエコーキャンセル回路を用いることなく、ハウリング現象を防ぐことができる。このようにして、ハウリング現象の生じない車載ハンズフリー装置のコストを抑えることができる。
【産業上の利用可能性】
【００２０】
車載ハンズフリー装置を、他の装置（例えば、ドライバーに「運転に有用な音情報」を与える装置等）に組み合わせて用いても良い。
【００２１】
車載ハンズフリー装置は、車両に固定される設備機材であっても良いし、車両に対して着脱可能な機材であっても良い。
【００２２】
車載ハンズフリー装置を、携帯電話とは別の装置（無線装置等）に組み合わせて用いても良い。
【符号の説明】
【００２３】
１  マイク
２  パラメトリックスピーカ（再生音発生手段）
３  超音波スピーカ
４  超音波変調回路
５  増幅回路
【図１】
2014143615.tif 000003
【図２】
2014143615.tif 000004